(57)【要約】【課題】安価かつ簡単に組立可能なポップアップ玩具を提供する。【解決手段】１枚のシート片からなる起立部３を第１〜第５の互いに平行な折り目線Ｂ〜Ｆを介して６つの片３１〜３６に区画し、両端側から順に一対の起立片３１，３２と、一対の貼着片３３，３４と、一対の連結片３５，３６とを設け、各片３１〜３６を各折り目線Ｂ〜Ｆに沿って山折りし、連結片３５，３６に起立片３１，３２の自由端側が挿入される挿入孔３７，３７を設けて、そこに起立片３１，３２を挿入する。【選択図】  図１
2004187943.tif 000002
【特許請求の範囲】
【請求項１】
一対の扉面が主折線を介して互いに対向および離反する方向に折り畳まれる台紙と、上記主折線を跨ぐように上記各扉面の間に取り付けられる起立部とを含み、上記扉面を互いに離反する方向に開くことで、折り畳み状態にある上記起立部が上記台紙に対して立体的に起き上がるポップアップ玩具において、
上記起立部は、１枚のほぼ矩形状のシート片を第１〜第５の互いに平行な折り目線を介して６つの片に区画してなり、
上記シート片の両端側に形成される一対の起立片と、いずれか一辺が上記各起立片の固定端側に連結され、上記各扉面に貼着される一対の貼着片と、上記各貼着片のいずれか他方の辺を互いに連結する一対の連結片とを有し、
上記第１〜第５の各折り目線はいずれも山折り線もしくは谷折り線であり、上記各連結片には、上記各起立片の自由端側が挿入される挿入孔が設けられており、上記起立辺の各々が、上記各貼着片を介して互いに隣接する上記各連結片の挿入孔に挿入されることを特徴とするポップアップ玩具。
【請求項２】
上記各連結片は、上記第３の折り目線を介して互いに折り畳み可能に連結されており、上記起立部は、上記第３の折り目線が上記主折線に対して重なるように配置されるように上記台紙に貼着されている請求項１に記載のポップアップ玩具。
【発明の詳細な説明】
【０００１】
【発明の属する技術分野】
本発明は、扉面を開くことで立体的な視覚効果が得られるポップアップ玩具に関し、さらに詳しく言えば、パーツ構成および組立工数を少なくしてより簡単に組立可能なポップアップ玩具に関する。
【０００２】
【従来の技術】
子供向け雑誌などの一部には、ページを開くことで、動物などのイラストや文字などが立体的に飛び出して見える、いわゆる「飛び出る絵本（ポップアップ絵本）」がよく用いられる。また同様に、商品を陳列する際の陳列具においても、顧客に対してインパクトを与えるために同じポップアップ手段をよく用いる。
【０００３】
イラストなどが立体的に飛び出して見える機構としては、例えば特許文献１に示すように、連設部を介して互いに折り畳まれる一対の台紙片に、被貫通片と支え片とを連設部に跨るように各台紙片に設け、さらに一方の台紙片に立体形成片の一端を固定し、他端（自由端）を被貫通部の一部に設けられた孔から引き出すようにしたものが提案されている。
【０００４】
これによれば、台紙片を互いに離反する方向に開くと、被貫通片が支え片によって引き起こされ、これに伴い、被貫通片の孔によって支持された立体形成片が台紙片から起立する。このとき、例えば立体形成片に「あかんべぇ」などのイラストを記入しておくことで、開いた際に立体形成片からなる擬似舌が飛び出ることで、読者にインパクトを与えることができる。
【０００５】
【特許文献１】
特開平９−２２５１５１号公報
【０００６】
【発明が解決しようとする課題】
しかしながら、上述した従来のポップアップ玩具は、特許文献１などからも分かるように、台紙片に対して少なくとも２つ、特許文献１では３つの組立パーツ片を要する。
【０００７】
したがって、これら組立パーツ毎に型抜き用の木型を用意する必要がある。また、各パーツを台紙片に貼り付けるための、のり付け箇所も多く（特許文献１では少なくとも４カ所）、これに伴う、組立コストのアップは否めない。
【０００８】
すなわち、より安価かつ簡単に組立可能なポップアップ玩具を得るためには、１つの組立パーツでポップアップ効果が得られるものが最も好ましい。そこで、本発明は、上述した課題を解決することを目的とする。
【０００９】
【課題を解決するための手段】
上記目的を達成するため、本発明は、一対の扉面が主折線を介して互いに対向および離反する方向に折り畳まれる台紙と、上記主折線を跨ぐように上記各扉面の間に取り付けられる起立部とを含み、上記扉面を互いに離反する方向に開くことで、折り畳み状態にある上記起立部が上記台紙に対して立体的に起き上がるポップアップ玩具において、上記起立部は、１枚のほぼ矩形状のシート片を第１〜第５の互いに平行な折り目線を介して６つの片に区画してなり、上記シート片の両端側に形成される一対の起立片と、いずれか一辺が上記各起立片の固定端側に連結され、上記各扉面に貼着される一対の貼着片と、上記各貼着片のいずれか他方の辺を互いに連結する一対の連結片とを有し、上記第１〜第５の各折り目線はいずれも山折り線もしくは谷折り線であり、上記各連結片には、上記各起立片の自由端側が挿入される挿入孔が設けられており、上記起立辺の各々が、上記各貼着片を介して互いに隣接する上記各連結片の挿入孔に挿入されることを特徴としている。
【００１０】
これによれば、１枚の組立パーツを折り畳むことで、極めて簡単かつ安価にポップアップ効果を生むポップアップ玩具が得られる。
【００１１】
上記各連結片は、上記第３の折り目線を介して互いに折り畳み可能に連結されており、上記起立部は、上記第３の折り目線が上記主折線に対して重なるように配置されるように上記台紙に貼着されている。
【００１２】
これによれば、扉面が閉じている（扉面が平行な状態）ときには、起立部は扉面間に折り畳まれた状態となり、扉面を開いたときには、第３の折り目線が主折線を同一直線上に設けられていることにより、小さい力で無理なくスムーズに起立部が起立および収納される。
【００１３】
【発明の実施の形態】
次に、本発明の実施形態について図面を参照しながら説明する。図１は、本発明の一実施形態に係るポップアップ玩具の斜視図であり、図３は、その起立部を展開した状態の平面図である。
【００１４】
このポップアップ玩具１は、左右一対の扉面２１，２２が主折線Ａを介して互いに対向および離反する方向に折り畳み可能な台紙２と、同台紙２に対して主折線Ａを跨ぐようにして各扉面２１，２２に取り付けられる起立部３とを備えている。
【００１５】
台紙２は、例えばボール紙などの比較的厚手の１枚のシート片からなり、扉面２１，２２には、図示しないイラストや文字などによって装飾されている。この例において、台紙２は見開き方向が左右となっているが、例えば上下に見開くようにしてもよい。
【００１６】
台紙２の材質については、紙製だけでなく樹脂製や金属製など任意に選択可能であり、また、その形状については、基本的に主折線Ａを介して折り畳み可能であれば、図１のように単なる矩形状ではなく、例えばハート形など仕様に応じて種々の形態としてよい。
【００１７】
図２に示すように、起立部３は、全体が１枚のほぼ矩形状のシート片を打抜加工したものからなり、第１〜第５の互いに平行な折り目線Ｂ〜Ｆを介して６つの片３１〜３６に区画されている。なお、起立部３の材質についても、各折り目線Ｂ〜Ｆに沿って折り畳み可能であれば、特に限定されない。
【００１８】
起立部３は、両端から中心に向かって順に、一対の起立片３１，３２と、一対の貼着片３３，３４と、一対の連結片３５，３６とを備えている。各起立片３１，３２は、細幅の舌片状を呈し、一端側（固定端側）が折り目線Ｂ，Ｃを介して貼着片３３，３４に連結されており、他端側が自由端とされている。
【００１９】
貼着片３３，３４は、一端が上述した折り目線Ｂ，Ｃを介して起立片３１，３２に、他端側が折り目線Ｄ，Ｅを介して連結片３５，３６にそれぞれ連結されており、起立片３１，３２側から連結片３５，３６側にかけて幅が増加する台形状に形成されている。
【００２０】
連結片３５，３６は、貼着片３３，３４の連結部分（折り目線Ｄ，Ｅ）よりも幅広な四角形状に形成されており、各連結片３５，３６同士が折り目線Ｆを介して互いに連結されている。
【００２１】
各連結片３５，３６には、起立片３３，３４の自由端側が挿入される挿入孔３７，３７が設けられている。挿入孔３７，３７は、起立部３の幅方向（図２では上下方向）に沿って平行なスリットからなり、少なくとも起立片３３，３４が挿入可能な長さを備えている。挿入孔３７，３７は、それぞれ各折り目線Ｄ，Ｅから所定間隔を持って平行に形成されている。
【００２２】
次に、図３の（ａ）〜（ｅ）を参照して起立部３の組立手順の一例について説明する。説明に先立ち、本発明の起立部３に設けられた各折り目線Ｂ〜Ｆは、図３（ａ）では下面側から見ていずれも山折り線（上面側から見るといずれも谷折り線）である。
【００２３】
まず、図３（ｂ）に示すように、起立部３の両翼に形成された起立片３１，３２を折線Ｂ，Ｃに沿って折り畳む。起立片３１，３２は、一度、ほぼ１８０°まで折り畳んで折り癖を付けておき、次の貼着片３３，３４の折り工程に備えて図３（ｂ）に示すように軽く展開しておくことが好ましい。
【００２４】
次に、図３（ｃ）に示すように、貼着片３３，３４を折り目線Ｄ，Ｅに沿って折り畳む。この貼着片３３，３４も同様に、一旦ほぼ１８０°まで折り畳んで癖付けしておいてから、図３（ｃ）のように展開しておく。
【００２５】
併せて、連結片３５，３６を折り目線Ｆに沿ってほぼ１８０°まで折り畳んで癖付けしておき、図３（ｄ）に示すように、再び展開しておく。そして、図３（ｅ）に示すように、起立片３１，３２の自由端側を連結片３５，３６の裏側から挿入孔３７，３７に挿入して表側に引き出すことにより、起立部３の組立が完了する。
【００２６】
これによれば、図４（ａ）の平面図、および図４（ｂ）の底面図に示すように、一方の起立片３１は、隣接する貼着片３３に連結された連結片３５の裏側から挿入孔３７を通って表側に引き出される。また、他方の起立片３２は、隣接する貼着片３４に連結された連結片３６の裏側から挿入孔３７を通って表側に引き出される。
【００２７】
図４（ｂ）に示すように、各貼着片３３，３４の裏側には、扉面２１，２２に貼着するための貼着手段としての粘着面４，４が設けられている。この例において、粘着面４，４は貼着片３３，３４に直接粘着剤を塗工したものからなるが、これ以外に両面粘着テープを用いてもよく、貼着可能なものであれば、特に限定せずに使用可能である。
【００２８】
組み立てられた起立部３を台紙２に貼り付けるに当たっては、図５（ｃ）に示すようなほぼ１８０°のフラットな状態にある台紙２に対して、起立部３が台紙２の主折線Ａを跨ぐように各扉面２１，２２に貼着片３３，３４を平行に貼り付けることで、簡単に貼り付けることができる。
【００２９】
このとき、起立部３の折り目線Ｆが台紙２の主折線Ａに対して重なる位置に配置するように貼着することが好ましい。これによれば、後述する台紙２の開閉動作に応じて起立部３がスムーズにポップアップおよび折り畳まれる。
【００３０】
図５（ａ）〜（ｃ）を参照して、このポップアップ玩具１は、まず図５（ａ）に示すように、台紙２の各扉面２１，２２が互いに対向するように閉じた状態で保管される。この例において、台紙２は、起立部３の厚みによって完全に閉じることはできないが、主折線Ａの部分に襠（マチ）を設けて起立部３の厚みを吸収する用にしてもよい。
【００３１】
次に、図５（ｂ）に示すように、このポップアップ玩具１の各扉面２１，２２を互いに離反する方向に広げてゆくと、貼着面３３，３４は扉面２１，２２に沿って平行に広げられ、これに伴い、各連結片３５，３６が折り目線Ｆを中心にＶ字状に広げられる。
【００３２】
これに伴い、挿通孔３７，３７に保持された起立片３１，３２が、連結片３５，３６から起立状態に保持される。台紙２がほぼ１８０°にフラットになると、図５（ｃ）に示すように、起立片３１，３２は、連結片３５，３６から最も伸びた状態となる。
【００３３】
なお、この例において、ポップアップ玩具１は１枚の台紙２に組み込まれているが、これ以外に、例えば絵本などの冊子体の一部に組み込まれていてもよいし、また、商品陳列具の一部に組み込まれていてもよく、基本的なポップアップ形態を備えていればよく、これら各種変形例も本発明に含まれる。
【００３４】
【発明の効果】
以上説明したように、本発明によれば、１枚のシート片を第１〜第５の互いに平行な折り目線を介して６つの片に区画し、両端側から順に、一対の起立片と、一対の貼着片と、一対の連結片とを設け、各片を各折り目線に沿って山折りし、各連結片に各起立片の自由端側が挿入される挿入孔を設けて、そこに起立片を挿入することにより、１枚の組立パーツで、極めて簡単かつ安価にポップアップ効果を生むポップアップ玩具が得られる。
【図面の簡単な説明】
【図１】本発明の一実施形態に係るポップアップ玩具の斜視図。
【図２】起立部を展開した状態の平面図。
【図３】起立部の組立手順を説明する説明図。
【図４】組み立てられた起立部の平面図および底面図。
【図５】上記ポップアップ玩具のポップアップ機構を説明する説明図。
【符号の説明】
１  ポップアップ玩具
２  台紙
２１，２２  扉面
３  起立部
３１，３２  起立片
３３，３４  貼着片
３５，３６  連結片
３７，３７  挿入孔
４  粘着面
Ａ  主折線
Ｂ〜Ｆ  折り目線
【図１】
2004187943.tif 000003
【図２】
2004187943.tif 000004
【図３】
2004187943.tif 000005
【図４】
2004187943.tif 000006
【図５】
2004187943.tif 000007